(57)【要約】【課題】  ディスク装置に視認性の高い表示部を形成しディスク装置を分解した際に、ディスク装置のレーザー光を直接的に目視することへの警報を与えることが可能な警報表示部を備えたディスク装置を提供することを目的とする。【解決手段】  ディスク装置１０内に搬入／搬出されるトレイ１１に載置されるディスクの記録面に、ピックアップレンズ１４Ａによりレーザー光を照射して記録／再生を行うディスク装置１０に、ピックアップレンズ１４Ａの近傍であってトレイ１１の後方側に、視認性の高い凸状の表示部１７を形成したので、照射されるレーザー光を目視することを未然に防止することができるディスク装置を提供することができる【選択図】      図３
2005196866.tif 000002
【特許請求の範囲】
【請求項１】
ディスク装置にディスクを搬入／搬出するトレイと、前記ディスクを回転駆動するターンテーブルと、前記ディスクの回転駆動時に前記ディスクを保持するクランパーと、前記ディスクの記録面にレーザー光を照射して前記ディスクの記録／再生を行うピックアップレンズとを備えたディスク装置において、光学系を直視しないよう注意を喚起する文字や図形などの警報用の表示部を前記ピックアップレンズの近傍に位置する前記ディスク装置の構成部品に一体的に突設したことを特徴とする警報表示部を備えたディスク装置。
【請求項２】
前記構成部品が前記トレイからなり、このトレイの上面側に前記表示部を形成したことを特徴とする請求項１記載の警報表示部を備えたディスク装置。
【請求項３】
前記構成部品が前記クランパーを支持する支持部材からなり、この支持部材の上面側に前記表示部を形成したことを特徴とする請求項１記載の警報表示部を備えたディスク装置。
【請求項４】
前記構成部品が前記トレイと前記クランパーを支持する支持部材とからなり、これらトレイと支持部材の上面側に前記表示部を形成するとともに、その各表示部が前記ピックアップレンズを挟んでほぼ対角線上に配置されていることを特徴とする請求項１記載の警報表示部を備えたディスク装置。
【請求項５】
前記支持部材の上面に平板部を形成し、該平板部に段差凹部を形成するとともに、該段差凹部の底面に前記表示部を段差凹部の深さを超えないように突出形成したことを特徴とする請求項３又は４記載の警報表示部を備えたディスク装置。
【請求項６】
前記段差凹部の深さを２ｍｍに形成し、前記表示部の高さを１ｍｍ以下に形成したことを特徴とする請求項５記載の警報表示部を備えたディスク装置。
【発明の詳細な説明】
【技術分野】
【０００１】
本発明は、ディスク装置、特に、電子機器などに備えられたディスク装置において、ディスク装置を分解した際に、ピックアップレンズの近傍においてレーザー光を直視することへの警報を与える警報表示部を備えたディスク装置に関する。
【背景技術】
【０００２】
従来から用いられている電子機器などに備えられたディスク装置は、このディスク装置内に開閉して搬入や搬出が可能なトレイが設けられ、このトレイにより搬入された記録媒体であるディスクの記録面に、レーザー光を照射してディスクの記録、或いは、再生を行っている。
【０００３】
このような従来のディスク装置においては、レーザー光の照射が眼に当たらないようにするために、注意を促す注意ラベルをディスク装置の側面に貼着したディスク装置などが用いられている。
【０００４】
また、特許文献１には、ディスクオートチェンジャ等の記録及び／又は再生装置等に使用されるディスクカートリッジにおいて、ディスクを載置するトレイにトレイの番地表示部を有するものが開示されており、また、特許文献２には、ディスク装置の枠体の製造コストを低減するために、ラベルを貼付するものが開示されている。
【０００５】
【特許文献１】特開２００２−１３３８２４号公報
【特許文献２】登録実用新案第３０９２８７１号公報
【発明の開示】
【発明が解決しようとする課題】
【０００６】
しかし、例えば、修理などのためにディスク装置を分解する修理者が、レーザー光が照射されている状態で、ディスク装置を分解してメインテナンスをする際等には、修理者は、レーザー光を直視する懸念があり、しかも、レーザー光線が眼に照射された場合には、網膜が傷つき視野に後遺症が残るなどの障害を受ける懸念を生じていた。
【０００７】
また、前述したようにディスク装置にラベルを貼着して注意を促す場合には、ディスク装置とは別体のラベルが必要となり、これによるコストアップやラベルを貼る作業が必要となり、しかも、ディスク装置にラベルを貼る場合には、ラベルを貼る工程で、ラベルの貼る位置にズレなどが生じた場合に、貼り直すなどの無用な手間が係り、製造工程の効率化を図ることができなかった。
【０００８】
しかも、ディスクを搬入／搬出するトレイにラベルを貼る場合には、使用しているうちにラベルが剥がれた場合に、ディスクの搬入／搬出時にラベルが、他の構成部品あるいはディスクに貼り付いてディスクの搬入／搬出が不可能になるなどの故障を誘発する虞もあった。
【０００９】
本発明は上記課題を鑑みてなされたものであり、ディスク装置に視認性の高い表示部を形成しディスク装置を分解した際に、ディスク装置のレーザー光に対する警報を効果的に行うことが可能であると共に、作業性に優れ製造効率を向上する警報表示部を備えたディスク装置を提供することを目的とする。
【課題を解決するための手段】
【００１０】
請求項１に係る警報表示部を備えたディスク装置は、ディスクを搬入／搬出するトレイと、前記ディスクを回転駆動するターンテーブルと、前記ディスクの回転駆動時に前記ディスクを保持するクランパーと、前記ディスクの記録面にレーザー光を照射して前記ディスクの記録／再生を行うピックアップレンズとを備えたディスク装置において、光学系を直視しないよう注意を喚起する文字や図形などの警報用の表示部を前記ピックアップレンズの近傍に位置する前記ディスク装置の構成部品に一体的に突設したことを特徴とする．
【００１１】
請求項１の構成によれば、レーザー光を照射するピックアップレンズの近傍に視認性の高い凸状の表示部を形成しているから、ピックアップレンズから照射されるレーザー光を目視することへの注意を与えることが可能となる。
【００１２】
請求項２に係る警報表示部を備えたディスク装置は、請求項１記載の警報表示部を備えたディスク装置において、前記構成部品が前記トレイからなり、このトレイの上面側に前記表示部を形成したことを特徴とする。
【００１３】
請求項２の構成によれば、ピックアップレンズの近傍に位置してトレイに形成される表示部によって、ピックアップレンズから照射されるレーザー光を目視することへの注意を与えることが可能となる。
【００１４】
請求項３に係る警報表示部を備えたディスク装置は、請求項１記載の警報表示部を備えたディスク装置において、前記構成部品が前記クランパーを支持する支持部材からなり、この支持部材の上面側に前記表示部を形成したことを特徴とする。
【００１５】
請求項３の構成によれば、ピックアップレンズの近傍に位置して支持部材に形成される表示部によって、ピックアップレンズから照射されるレーザー光を目視することへの注意を与えることが可能となる。
【００１６】
請求項４に係る警報表示部を備えたディスク装置は、請求項１記載の警報表示部を備えたディスク装置において、前記構成部品が前記トレイと前記クランパーを支持する支持部材とからなり、これらトレイと支持部材の上面側に前記表示部を形成するとともに、その各表示部が前記ピックアップレンズを挟んでほぼ対角線上に配置されていることを特徴とする。
【００１７】
請求項４の構成によれば、ピックアップレンズから照射されるレーザー光を目視することへの注意を与える表示部がピックアップレンズを挟んでほぼ対角線上に配置されているから、より効果的にピックアップレンズから照射されるレーザー光への警報を与えることが可能となる。
【００１８】
請求項５に係る警報表示部を備えたディスク装置は、請求項３又は４記載の警報表示部を備えたディスク装置において、前記支持部材の上面に平板部を形成し、該平板部に段差凹部を形成するとともに、該段差凹部の底面に前記表示部を段差凹部の深さを超えないように突出形成したことを特徴とする。
【００１９】
請求項５の構成によれば、段差凹部の底面に形成される表示部の高さが、段差凹部の深さより低く設けられているので、組み付け時などにおいて、表示部が他の構成部品や装置などに引っ掛かるなどといった干渉を防止でき、さらに視認性に優れた表示部を形成したディスク装置を提供することができる。
【００２０】
請求項６に係る警報表示部を備えたディスク装置は、請求項５記載の警報表示部を備えたディスク装置において、前記段差凹部の深さを２ｍｍに形成し、前記表示部の高さを１ｍｍ以下に形成したことを特徴とする。
【００２１】
請求項６の構成によれば、表示部を局所的に肉厚に形成することで表示部の強度が向上し、かつ、表示部と他の構成部品との干渉も防止できる。
【発明の効果】
【００２２】
請求項１の警報表示部を備えたディスク装置の発明は、ディスクを搬入／搬出するトレイと、前記ディスクを回転駆動するターンテーブルと、前記ディスクの回転駆動時に前記ディスクを保持するクランパーと、前記ディスクの記録面にレーザー光を照射して前記ディスクの記録／再生を行うピックアップレンズとを備えたディスク装置において、注意を喚起する文字や図形などの警報用の表示部を前記ピックアップレンズの近傍に位置する前記ディスク装置の構成部品に一体的に突設したので、レーザー光を照射するピックアップレンズの近傍にレーザー光を目視することへの警報表示を形成でき、この表示部によって効果的な警報を与えることで、レーザー光を目視するといった事故を未然に防止することができる警報部を備えたディスク装置を提供することができる。
【００２３】
請求項２に係る警報表示部を備えたディスク装置は、請求項１記載の警報表示部を備えたディスク装置において、前記構成部品が前記トレイからなり、このトレイの上面側に前記表示部を形成したので、ピックアップレンズの近傍に位置するトレイ上にレーザー光を目視することへの警報表示を形成でき、この表示部によって効果的な警報を与えることで、レーザー光を目視するといった事故を未然に防止することができる警報部を備えたディスク装置を提供することができる。
【００２４】
請求項３に係る警報表示部を備えたディスク装置によれば、請求項１記載の警報表示部を備えたディスク装置において、前記構成部品が前記クランパーを支持する支持部材からなり、この支持部材の上面側に前記表示部を形成したので、ピックアップレンズの近傍に位置するクランパーを支持する支持部材上にレーザー光を目視することへの警報表示を形成でき、この表示部によって効果的な警報を与えることで、レーザー光を目視するといった事故を未然に防止することができる警報部を備えたディスク装置を提供することができる。
【００２５】
請求項４に係る警報表示部を備えたディスク装置によれば、請求項１記載の警報表示部を備えたディスク装置において、前記構成部品が前記トレイと前記クランパーを支持する支持部材とからなり、これらトレイと支持部材の上面側に前記表示部を形成するとともに、その各表示部が前記ピックアップレンズを挟んでほぼ対角線上に配置されているので、ピックアップレンズを挟んでほぼ対角線上に配置される表示部によって、より一層効果的な警報を与えることができる警報部を備えたディスク装置を提供することができる。
【００２６】
請求項５に係る警報表示部を備えたディスク装置によれば、請求項３又は４記載の警報表示部を備えたディスク装置において、前記支持部材の上面に平板部を形成し、該平板部に段差凹部を形成するとともに、該段差凹部の底面に前記表示部を段差凹部の深さを超えないように突出形成したので、表示部と他の構成部品や装置などとの干渉を防止でき、さらに視認性に優れた表示部を形成したディスク装置を提供することができる。
【００２７】
請求項６の警報表示部を備えたディスク装置の発明によれば、請求項５記載の警報表示部を備えたディスク装置において、前記段差凹部の深さを２ｍｍに形成し、前記表示部の高さを１ｍｍ以下に形成したので、表示部近傍の局所的な強度を高めることができる。
【発明を実施するための最良の形態】
【００２８】
以下、図１〜図９を参酌しながら、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００２９】
図１は、ディスク装置を備えた電子機器の一例を示す斜視図である。電子機器１は、全体が平板状の前面パネル２とキャビネット３により箱形に形成されている。そして、電子機器１の正面に設けられた前面パネル２は、キャビネット３に対し着脱可能であり、前面パネル２の略中央にはパネル開口部４が形成されている。
【００３０】
また、前面パネル２の適宜位置には、複数の操作ボタン５が設けられており、これらの操作ボタン５を操作することにより、後述するトレイの開閉や、記録または再生などを行うものである。なお、これらの操作ボタン５は、前述した機能に限定するものではなく、種々の機能を有していても良い。なお、図１の状態では、本発明のディスク装置の構成部品に一体的に突設した光学系を直視しないよう注意を喚起する文字や図形などの警報用の表示部は、ユーザには見えないような位置に突設している。
【００３１】
図２は、本発明に係るディスク装置のトレイが開いた状態を示す平面図であり、図３は、トレイが閉じた状態を示す平面図である。
【００３２】
ディスク装置１０は、ディスクを載置するためのトレイ１１、このトレイ１１を開閉するために前後方向に搬入／搬出させるための駆動ユニット１２、トレイ１１に載置されたディスクを下側から持ち上げ回転させるターンテーブル１３、ディスクの回転駆動時にディスクを保持するクランパー１９、ディスクに記録された映像や音声信号の記録／再生を行うピックアップレンズ１４Ａを備えたピックアップユニット１４、このピックアップユニット１４をディスクの半径方向であって、ディスク装置１０の前後方向に移動させる移動ユニット１５などにより構成されている。本実施例におけるディスク装置の記録／再生とは、記録及び再生の両機能を有していても、記録又は再生のいずれかのみの機能を有する場合であっても良く、記録及び再生の両機能を有するもののみに限定されるものではない。
【００３３】
次に、前記トレイ１１について詳述する。図７はトレイの平面図であり、同図に示すように、トレイ１１は全体が概ね矩形に形成されており、その上面の前方側（図７に示す下方側）には、載置されるディスクの円形状に対応して円形溝２０が形成されている。また、トレイ１１の略中央には、略矩形の開口部２１が形成されており、トレイ１１にディスクを載置した状態で、前述した操作ボタン５の操作によりピックアップレンズ１４Ａからのレーザー光が照射されディスクへの記録や再生が行えるように構成されている。
【００３４】
また、ディスク装置１０の上方には、このディスク装置１０に一体に形成される支持部材１６が設けられており、この支持部材１６により、ターンテーブル１３の上部のクランパー１９が支持されている。
【００３５】
また、前述したように、トレイ１１には略中央に開口部２１が形成されており、その近傍には、「ピックアップレンズのレーザー光を見ないで下さい」という趣旨の視認性の高い立体形状の文言表示部たる表示部１７が上方に突設する凸状に形成されている。なお、本実施例においては、ディスク装置１０の上方に設けられた支持部材１６に表示部１７が形成されているが、これに限定されるわけではなく、図８に示す他の実施例に示されるように、トレイの後方側であってピックアップレンズ１４Ａの近傍にレーザー光を直視することへの警報を与える表示部１７Ａを形成（図面を簡単にするために、表示部を突設した状態では描いていない）したり、あるいは図９に示す他の実施例に示されるように、支持部材１６とトレイ１１にそれぞれ表示部１７，１７Ａを形成し、これら各表示部１７，１７Ａをピックアップレンズ１４Ａを挟むようにしてほぼ対角線上に配置したりするなどの種々の変形も可能である。
【００３６】
また、前記支持部材１６に形成される表示部１７は、前述した通りピックアップレンズ１４Ａの近傍であって、支持部材１６の上面が略平板状の平板部３０に形成されており、詳しくは、平板部３０は、その内側に段差凹部３１が形成されており、段差凹部３１の上面３１Ａから一段低く形成された段差凹部の底面３１Ｂから、表示部１７が上方に一段高く突設して形成されている。そして、図６に示すように、表示部１７の形成されている段差凹部３１の深さＨは２ｍｍに形成されている。この場合、その深さ方向における凸状の表示部の高さＨ２は、１ｍｍ以下が望ましく、好ましくは０．３ｍｍ〜０．７ｍｍ、具体的には０．５ｍｍに形成されている。これにより、トレイ１１の搬入／搬出の開閉動作の際に、表示部１７が段差凹部の上面３１Ａから突出しないので、凸状の表示部１７が、ディスク装置１０内に設けられている種々の部品や装置と接触などをすることを防止することができる。
【００３７】
また、図８に示す他の実施例においては、ピックアップレンズ１４Ａの近傍のトレイ１１に凸状の表示部１７Ａが形成され、これにより、照射されるレーザー光を目視することを未然に防止することができる。さらに、図９に示す他の実施例においては、支持部材１６とトレイ１１に形成する表示部１７，１７Ａがピックアップレンズ１４Ａを挟むようにしてほぼ対角線上に配置する場合には、表示部１７，１７Ａの数を増やすことで、効果的に作業者に警報を与えることが可能となるから、より警報機能を高めることができる。
【００３８】
なお、１８は、トレイ１１の過剰挿入防止用ボスであり、この過剰挿入防止用ボス１８は、トレイ１１の下方に形成されており、トレイ１１の搬入を適宜位置に移動させて停止させる。
【００３９】
以上の構成により、ディスク装置１０を分解している分解者が、トレイ１１にディスクが載置されていない状態で、ピックアップユニット１４のピックアップレンズ１４Ａが上方にレーザー光を照射する場合において、ピックアップレンズ１４Ａ近傍の見易い位置に視認性の高い立体形状の表示部１７を凸状に形成することにより、作業者は、レーザー光が眼に照射されること、又は、レーザー光を目視する以前に、表示部１７を容易に視認することができるので、レーザー光を直接目視するなどの人体への悪影響を効果的に防止することができる。
【００４０】
しかも、ディスク装置１０の支持部材１６やトレイ１１などに表示部１７，１７Ａを一体に形成されることにより注意を促し、別体の注意ラベルなどを貼着する必要がないので、その作業工程を省くことができ、作業性に優れ、製造効率も向上する。
【００４１】
さらに、量産などされたディスク装置１０のトレイ１１などにおいて、後になって表示部１７を追加する必要が生じた場合に、表示部１７の文字を凹状の文字ではなく、凸状の文字として形成すれば良いので、表示部１７の文字の形状に対応する金型部分を削ることによって容易に文言を追加ができるので、汎用性が高い。
【図面の簡単な説明】
【００４２】
【図１】本発明におけるディスク装置を備えた電子機器の斜視図である。
【図２】同上トレイの開いた状態を示すディスク装置の平面図である。
【図３】同上トレイの閉じた状態を示すディスク装置の平面図である。
【図４】同上ディスク装置の要部拡大斜視図である。
【図５】同上トレイの要部拡大平面図である。
【図６】同上支持部材の断面図である。
【図７】同上トレイの平面図である。
【図８】他の実施例のトレイの要部拡大平面図である。
【図９】同上トレイを閉じた状態のディスク装置の平面図である。
【符号の説明】
【００４３】
１０  ディスク装置
１１  トレイ
１３  ターンテーブル
１４Ａ  ピックアップレンズ
１６  支持部材
１７，１７Ａ  表示部
１９  クランパー
３０  平板部
３１  段差凹部
３１Ａ  上面
３１Ｂ  底面
【図１】
2005196866.tif 000003
【図２】
2005196866.tif 000004
【図３】
2005196866.tif 000005
【図４】
2005196866.tif 000006
【図５】
2005196866.tif 000007
【図６】
2005196866.tif 000008
【図７】
2005196866.tif 000009
【図８】
2005196866.tif 000010
【図９】
2005196866.tif 000011